(57)【要約】【課題】接続端子とその接続端子と接触して通電可能に接続される被接続端子とが接触異常になることを、その互いに接触する部分において１点で接触する場合に比べて抑制する。【解決手段】端子の接続構造７は、接続端子７１を有するとともに着脱可能に装着されて使用される第１の装置と、前記第１の装置が着脱可能に装着される装着部と前記装着部に当該第１の装置が装着されたときに接続端子７１と接触して通電可能に接続される被接続端子７５を有する第２の装置との間における端子の接続構造であって、接続端子７１と被接続端子７５の一方は、その他方と接触する部分が複数の接触部７６を有する構造で構成されている。【選択図】図９
2020160170.tif 000002
【特許請求の範囲】
【請求項１】
接続端子を有するとともに着脱可能に装着されて使用される第１の装置と、
前記第１の装置が着脱可能に装着される装着部と前記装着部に当該第１の装置が装着されたときに前記接続端子と接触して通電可能に接続される被接続端子を有する第２の装置と
の間における端子の接続構造であって、
前記接続端子と前記被接続端子の一方は、その他方と接触する部分が複数の接触部を有する構造で構成されている端子の接続構造。
【請求項２】
前記複数の接触部は、複数本の線材を並べて配置することで構成されている請求項１に記載の接続構造。
【請求項３】
前記複数の接触部は、コイルバネを配置することで構成されている請求項１に記載の接続構造。
【請求項４】
前記複数本の線材は、その長さ方向が前記第１の装置の着脱時における移動方向に沿って並列に並ぶよう配置されている請求項２に記載の接続構造。
【請求項５】
前記コイルバネは、その高さの方向が前記第１の装置の着脱時における移動方向と交差する方向になるよう配置されている請求項３に記載の接続構造。
【請求項６】
前記接続端子と前記被接続端子の一方は、その他方と接触したときにその他方の位置と整合する位置まで食い込むよう弾性変形して変位する状態で取り付けられた食い込み構造になっており、
前記複数の接触部は、前記食い込み構造である前記接続端子又は被接続端子に設けられている請求項１乃至５のいずれかに記載の接続構造。
【請求項７】
前記接続端子と前記被接続端子は互いに同じ数の複数存在しており、
前記複数の接触部は、前記複数の接続端子又は被接続端子の全部又は一部に設けられている請求項１乃至６のいずれかに記載の接続構造。
【請求項８】
接続端子を有し、着脱可能に装着されて使用される着脱ユニットと、
前記着脱ユニットが着脱可能に装着される装着部と、前記装着部に当該着脱ユニットが装着されたときに前記接続端子と接触して通電可能に接続される被接続端子を有する装置本体と、
を備え、
前記接続端子と前記被接続端子は、請求項１乃至７のいずれかに記載の端子の接続構造で構成されている画像形成装置。
【請求項９】
前記複数の接触部は、前記装置本体の前記被接続端子に設けられている請求項８に記載の画像形成装置。
【発明の詳細な説明】
【技術分野】
【０００１】
この発明は、端子の接続構造、および画像形成装置に関するものである。
【背景技術】
【０００２】
従来、画像形成装置に使用される端子の接続構造に関する技術としては、以下の特許文献１〜３に記載されたものが知られている。
【０００３】
特許文献１には、記憶素子が実装された基板部材の基板上に設けられる電極端子を有し、画像形成装置の画像形成ステーションに着脱可能に装着されるトナーカートリッジと、そのトナーカートリッジが上記画像形成ステーションに装着されたときに上記電極端子と電気的に接続される被接続部の電極端子を有する画像形成装置との間において、上記電極端子がいずれも接続方向に平行して並んだ４つの細長い平板状の端子として構成されている技術が記載されている。
【０００４】
特許文献２には、記憶媒体の接続端子を有し、画像形成装置本体に着脱自在に装着される着脱ユニットと、その着脱ユニットが画像形成装置本体に装着されたときに上記接続端子が接触して接続される被接続端子を有する画像形成装置との間において、上記接続端子に接触可能な第１の保護接続端子と、第１の保護接続端子に電気的に接続されかつ上記被接続端子に接触可能な第２の保護接続端子と、第１の保護接続端子および第２の保護接続端子を支持する保護部材本体とを有する保護部材であって、第１の保護接続端子が上記接続端子に接続された状態で着脱ユニットに支持される保護部材を備え、画像形成装置本体に装着された場合に、上記被接続端子に第２の保護接続端子が接続されるよう構成された技術が記載されている。
【０００５】
特許文献３は、記憶部材の第１端子を有し、画像形成装置の装置本体の収容部に着脱自在に装着されるトナーカートリッジ等の消耗品容器と、その消耗品容器が装置本体の収容部に装着されたときに上記第１端子が接触して接続される第２端子を有する画像形成装置との間において、消耗品容器が装置本体の収容部に挿入される際、その挿入方向において挿入完了位置までの間に、第２端子に接触する第１端子の接触面に垂直な方向であって第２端子に次第に近づく方向に第１端子を移動させるガイド部材を備えた技術が記載されている。第１端子については、前後方向における中央部が下側に突出するＵ字状又はＶ字状の板ばねで構成されることが例示されている。
【先行技術文献】
【特許文献】
【０００６】
【特許文献１】特開２０１０−０２０２１９号公報
【特許文献２】特開２０１１−１０７６４５号公報
【特許文献３】特開２０１７−１２０３５１号公報
【発明の概要】
【発明が解決しようとする課題】
【０００７】
この発明は、接続端子とその接続端子と接触して通電可能に接続される被接続端子とが接触異常になることを、その互いに接触する部分において１点で接触する場合に比べて抑制することができる端子の接続構造、およびその接続構造を適用した画像形成装置を提供するものである。
【課題を解決するための手段】
【０００８】
この発明（Ａ１）の端子の接続構造は、請求項１に記載されている通り、
接続端子を有するとともに着脱可能に装着されて使用される第１の装置と、
前記第１の装置が着脱可能に装着される装着部と前記装着部に当該第１の装置が装着されたときに前記接続端子と接触して通電可能に接続される被接続端子を有する第２の装置と
の間における端子の接続構造であって、
前記接続端子と前記被接続端子の一方は、その他方と接触する部分が複数の接触部を有する構造で構成されているものである。
【０００９】
この発明（Ａ２）の端子の接続構造は、上記発明Ａ１の端子の接続構造において、前記複数の接触部は、複数本の線材を並べて配置することで構成されているものである。
この発明（Ａ３）の端子の接続構造は、上記発明Ａ１の端子の接続構造において、前記複数の接触部は、コイルバネを配置することで構成されているものである。
この発明（Ａ４）の端子の接続構造は、上記発明Ａ２の端子の接続構造において、前記複数本の線材は、その長さ方向が前記第１の装置の着脱時における移動方向に沿って並列に並ぶよう配置されているものである。
この発明（Ａ５）の端子の接続構造は、上記発明Ａ３の端子の接続構造において、前記コイルバネは、その高さの方向が前記第１の装置の着脱時における移動方向と交差する方向になるよう配置されているものである。
この発明（Ａ６）の端子の接続構造は、上記発明Ａ１からＡ５のいずれかの端子の接続構造において、前記接続端子と前記被接続端子の一方は、その他方と接触したときにその他方の位置と整合する位置まで食い込むよう弾性変形して変位する状態で取り付けられた食い込み構造になっており、前記複数の接触部は、前記食い込み構造である前記接続端子又は被接続端子に設けられているものである。
この発明（Ａ７）の端子の接続構造は、上記発明Ａ１からＡ６のいずれかの端子の接続構造において、前記接続端子と前記被接続端子は互いに同じ数の複数存在しており、前記複数の接触部は、前記複数の接続端子又は被接続端子の全部又は一部に設けられているものである。
【００１０】
また、この発明（Ｂ１）の画像形成装置は、
接続端子を有し、着脱可能に装着されて使用される着脱ユニットと、
前記着脱ユニットが着脱可能に装着される装着部と、前記装着部に当該着脱ユニットが装着されたときに前記接続端子と接触して通電可能に接続される被接続端子を有する装置本体と、
を備え、
前記接続端子と前記被接続端子は、上記発明Ａ１からＡ７のいずれかに記載の端子の接続構造で構成されているものである。
この発明（Ｂ２）の画像形成装置は、上記発明Ｂ１の画像形成装置において、前記複数の接触部は、前記装置本体の前記被接続端子に設けられているものである。
【発明の効果】
【００１１】
上記発明Ａ１の端子の接続構造によれば、接続端子とその接続端子と接触して通電可能に接続される被接続端子とが接触異常になることを、その互いに接触する部分で１点又は１箇所で接触する場合に比べて抑制することができる。
【００１２】
上記発明Ａ２の端子の接続構造によれば、複数の接触部が複数本の線材を並べて配置することで構成されていない場合に比べて、複数の接触部を容易に形成して上記接触異常になることを抑制することができる。
上記発明Ａ３によれば、複数の接触部がコイルバネを配置することで構成されていない場合に比べて、複数の接触部を簡単に形成して上記接触異常になることを抑制することができる。
上記発明Ａ４によれば、複数本の線材が上記並列に並ぶよう配置されていない場合に比べて、第１の装置の着脱時に、複数の接触部が引っ掛かることや摩擦抵抗になることを抑制することができる。
上記発明Ａ５によれば、コイルバネが上記交差する方向になるよう配置されていない場合に比べて、第１の装置の着脱時に、複数の接触部が引っ掛かることや摩擦抵抗になることを抑制することができる。
上記発明Ａ６によれば、複数の接触部が食い込み構造である接続端子又は被接続端子に設けられていない場合に比べて、複数の接触部の接触時における衝撃を低減しつつ上記接触異常になることを抑制することができる。
上記発明Ａ７によれば、複数の接触部を複数ある接続端子又は被接続端子の一方のすべてに設ける必要がなく、例えば接触の精度が求められる接続端子又は被接続端子の一方に限定して複数の接触部を設けることもできる。
【００１３】
上記発明Ｂ１の画像形成装置によれば、接続端子とその接続端子と接触して通電可能に接続される被接続端子とが接触異常になることを、その互いに接触する部分で１点又は１箇所で接触する場合に比べて抑制することができ、かかる接触異常に起因した不具合の発生も抑制することができる。
上記発明Ｂ２によれば、複数の接触部が着脱ユニットの接触端子に設けられる場合に比べて、複数の接触部を設けるべき数量を抑えることができ、品質を安定させつつコストの上昇を抑えることができる。
【図面の簡単な説明】
【００１４】
【図１】実施の形態１等に係る画像形成装置の構成を示す概要図である。
【図２】図１の画像形成装置における現像剤収納容器と補給手段の構成を示す概略斜視図である。
【図３】図２の現像剤収納容器と補給手段の一部を拡大して示す概略斜視図である。
【図４】現像剤収納容器における接続端子の状態を示す概略斜視図である。
【図５】画像形成装置に設けられたコネクタ部における被接続端子の状態を示す概略斜視図である。
【図６】現像剤収納容器における接続端子とコネクタ部における被接続端子との接続状態を示す概要図である。
【図７】複数の接触部が設けられる被接続端子の構成等を示す概要図である。
【図８】複数の接触部が設けられる被接続端子の構成および接触状態を示す概要図である。
【図９】実施の形態１に係る端子の接続構造における接続状態を拡大して示す概要図である。
【図１０】実施の形態２に係る端子の接続構造における接続状態を拡大して示す概要図である。
【図１１】図１０の接続構造における複数の接触部が設けられる被接続端子の構成および接触状態を示す概要図である。
【図１２】実施の形態３に係る端子の接続構造における接続状態を拡大して示す概要図である。
【図１３】図１２の接続構造における複数の接触部が設けられる被接続端子の構成および接触状態を示す概要図である。
【発明を実施するための形態】
【００１５】
以下、この発明を実施するための形態について図面を参照しながら説明する。
【００１６】
［実施の形態１］
図１には、実施の形態１に係る端子の接続構造を適用した画像形成装置の構成が概念的に示されている。
【００１７】
＜画像形成装置＞
画像形成装置１は、電子写真方式等の画像形成方式を利用して、現像剤としてのトナーで構成される画像を記録媒体の一例である用紙９に形成する装置である。この画像形成装置１は、例えば、情報端末機、画像読取装置等の外部機器から入力される文字、図形、表、写真等の画像情報に対応した画像の形成を行うプリンタとして構成されている。
【００１８】
この画像形成装置１は、図１に示されるように、装置本体の一例である筐体１０の内部空間に、電子写真方式等の画像形成方式によりトナー像を形成して用紙９に転写する像形成手段２と、像形成手段２に供給する用紙９を収容して送り出す給紙手段４と、像形成手段２で転写されたトナー像を用紙９に定着させる定着手段５、像形成手段２における現像装置２４に現像剤を補給する補給手段６等が配置されている。図１に示される一点鎖線は、筐体１０の内部空間において用紙９が搬送される主な搬送経路である。また図１における符号１５は、画像形成装置１における各動作を制御する制御手段を示す。
【００１９】
像形成手段２は、矢印で示す方向に回転する感光体の一例である感光ドラム２１を有しており、その感光ドラム２１の周囲に、感光ドラム２１の周面の像形成領域を所要の電位に帯電させる帯電装置２２、感光ドラム２１の帯電された像形成領域に画像情報に基づいて露光を行って静電潜像を形成する露光装置２３、感光ドラム２１に形成された静電潜像を現像剤で現像してトナー像にする現像装置２４と、感光ドラム２１に形成されたトナー像を用紙９に転写させる転写装置２５と、感光ドラム２１の像形成領域を清掃する清掃装置２６等が配置されて構成されている。
【００２０】
このうち現像装置２４は、図１に示されるように、現像剤を収容する収容室と現像を行う現像用開口を有する筐体２４０の内部に、現像剤を保持して感光ドラム２１と対向する現像域を通過させるよう搬送する現像ロール２４１、収容室内の現像剤を撹拌しながら現像ロールを通過させるよう搬送する搬送手段２４２等を備えている。現像剤としては、例えばトナーおよびキャリアを含む二成分現像剤が使用される。
また、この現像装置２４は、筐体２４０内における現像剤が現像により消費されて減るため、補給手段６から現像剤が補給されるようになっている。
【００２１】
給紙手段４は、所望のサイズ、種類等からなる用紙９を積み重ねた状態で収容する図示しない収容体４１や、その収容体４１から用紙９を１枚ずつ像形成手段２における転写部にむけて送り出す送出装置４２等を備えている。用紙９は、画像形成装置１内での搬送が可能でかつトナー像の転写および定着が可能な記録媒体であればよい。
【００２２】
定着手段５は、用紙９の図示しない導入口および排出口が設けられた筐体（ハウジング）５０の内部に、加熱されつつ回転するロール形態、ベルト−ニップ形態等からなる加熱回転体５１と、加熱回転体５１に所要の圧力で接して定着ニップを形成するロール形態、ベルト−ニップ形態等からなる加圧回転体５２等を備えて構成されている。
【００２３】
そして、この画像形成装置１では、画像を形成する要求の指令情報を受けると、まず像形成手段２において電子写真方式等の画像形成方式における公知の工程（帯電、露光、現像および転写の工程）が実行される。
つまり、像形成手段２においては、画像情報に対応したトナー像が感光ドラム２１上に形成され、しかる後、そのトナー像が給紙手段４から供給される用紙９の片面に対して転写される。転写後の感光ドラム２１は清掃装置２６で清掃される。
続いて、像形成手段２で転写されたトナー像を保持する用紙９は、定着手段５における定着ニップに導入され、その定着ニップを通過するときに定着処理（加熱および加圧）されることによりトナー像が用紙９に定着させられる。
定着が終了した用紙９は、例えば筐体１０の外部に設けられる排出収容部１２に搬送されて収容される。これにより、画像形成装置１による用紙９の片面に対する画像形成の動作が終了する。
【００２４】
次に、補給手段６は、図１に示されるように、補給する現像剤を収納する現像剤収納容器６１と、現像剤収納容器６１にある現像剤を現像装置２４に対して所要の時期にかつ所要の量で補給するよう送り出す補給駆動装置６７と、補給駆動装置６７から送り出される現像剤を現像装置２４まで搬送する搬送管６９とで構成されている。
【００２５】
現像剤収納容器６１は、筐体１０の図示しない装着部に着脱可能に装着されて使用されるものであり、着脱ユニットの一例として構成されている。
また現像剤収納容器６１は、図２等に示されるように、補給用の現像剤が収納される円筒状の容器本体６１０と、容器本体６１０の装着時の奥側になる端部に取り付けられる奥側の端部構造体６１１と、容器本体６１０の装着時の手前側になる端部に取り付けられる手前側の端部構造体６１２とで構成されている。補給用の現像剤は、例えばトナーのみか、又はキャリアを少量含むトナーになる。また図２等における符号Ｅ１で示す矢印は現像剤収納容器６１を装着するときの移動方向である押し込む方向を示し、符号Ｅ２で示す矢印は現像剤収納容器６１を取り外すときの移動方向である引き抜く方向を示している。
【００２６】
容器本体６１０の奥側の端部には、現像剤を容器本体６１０から排出する図示しない排出口、排出口を開閉する図示しない開閉シャッタ等が設けられた排出構造部６１３が形成されている。また、容器本体６１０の内部には、補給時に現像剤を排出構造部６１３にある排出口にむけて移動させるよう回転して搬送する図示しないアジテータ等の搬送手段が配置されている。
【００２７】
奥側の端部構造体６１１は、容器本体６１０の奥側になる端部を塞ぐとともに、上記搬送手段の回転軸を片持ち状態で支持する構造になっている。また、端部構造体６１１は、上記搬送手段に補給駆動装置６７における回転駆動装置（駆動モータ６７３：図２）の回転動力を伝達させるカップリング等の駆動連結部材６１５（図４）が外部に露出させた状態で配置されている。
一方、手前側の端部構造体６１２は、容器本体６１０の奥側になる端部を塞ぐとともに、現像剤収納容器６１の着脱作業時に手で持つための取っ手としての機能を有する構造になっている。
【００２８】
また、現像剤収納容器６１は、奥側の端部構造体６１１の一側面部に現像剤収納容器６１の固有の情報が記憶された記憶媒体６３を収容する収容部６１７が設けられている。
ここで、固有の情報とは、例えば、現像剤収納容器６１の品番、現像剤の種類や収納量、使用履歴等の情報である。また、記憶媒体６３としては、例えば、ＣＲＵＭ（Customer Replaceable Unit Memory）等の記憶媒体が使用される。
【００２９】
収容部６１７に収容する記憶媒体６３は、図４、図６等に示されるように、記憶素子等が内蔵された板状の形態からなる媒体であり、その片面には複数（本例では４つ）の接続端子７１Ａ，７１Ｂ，７１Ｃ，７１Ｄが設けられている。
収容部６１７は、図６等に示されるように、記憶媒体６３の接続端子７１Ａ，７１Ｂ，７１Ｃ，７１Ｄがある部分を除いてその両面における必要な数箇所（例えば他面の２箇所と片面の左右端部）を挟み込んだ状態で保持する構造になっている。また、収容部６１７には、図４、図６等に示されるように、接続対象になる後述するコネクタ部（６８）と向き合って接続する際に、そのコネクタ部（６８）における上下一対のガイド部（６８４Ａ，６８４Ｂ）にそれぞれ案内される上下一対の被ガイド部６１８Ａ，６１８Ｂが設けられている。
【００３０】
補給駆動装置６７は、装置本体でもあるハウジング６７１と、ハウジング６７１の片側に一体になるよう配置されて現像剤収納容器６１を保持する容器保持部６７２等で構成されている。このうち容器保持部６７２は、現像剤収納容器６１が装着される装着部の一部を構成する。
【００３１】
ハウジング６７１は、現像剤収納容器６１から排出される現像剤を一時的に収容するとともに必要な量を搬送管６９にむけて送り出す図示しない収容搬送部と、収容搬送部に収容された現像剤を搬送管６９にむけて送り出すよう駆動する図示しない送出部材、回転動力を伝達する図示しない駆動伝達機構等が配置されている。
またハウジング６７１には、電動モータ６７３が取り付けられている。この電動モータ６７３の回転動力は、図示しない上記駆動伝達機構を介して、ハウジング６７１内にある送出部材や、容器保持部６７２に保持される現像剤収納容器６１に伝達される。またハウジング６７１は、図５や図６に示されるように、容器保持部６７２と向き合う側面部分に、現像剤収納容器６１における駆動連結部材６１５を通過させる開口孔６７４が設けられており、また、その開口孔６７４を通過した奥側の内部に、駆動連結部材６１５と連結して回転動力を伝達するカップリング等の駆動連結部材６７５が配置されている。
【００３２】
容器保持部６７２は、現像剤収納容器６１の長手方向にそって下部側の部分を保持する構造で形成されている。また、容器保持部６７２は、ハウジング６７１と対向する端部に、現像剤収納容器６１の排出口から排出される現像剤をハウジング６７１の収容搬送部に送る図示しない接続通路が設けられている。
【００３３】
また、補給駆動装置６７には、図２、図３、図５等に示されるように、その一部に接近した状態で、現像剤収納容器６１の収容部６１７にある記憶媒体６３との電気的な接続を行うためのコネクタ部６８が設けられている。
【００３４】
コネクタ部６８は、画像形成装置１の筐体１０側に配置されるものである。またコネクタ部６８は、ほぼ四角形の箱型の支持フレーム６８１を有しており、ハウジング６７１から容器保持部６７２の片側の端部に存在して現像剤収納容器６１の収容部６１７と向き合うことができる状態で配置されている。コネクタ部６８の支持フレーム６８１には、図５、図６等に示されるように、現像剤収納容器６１の装着の際に、その接続対象になる収容部６１７と向き合って接続する際、その収容部６１７における上記上下一対の被ガイド部６１８Ａ，６１８Ｂをそれぞれ案内する上下一対のガイド部６８４Ａ，６８４Ｂが設けられている。
【００３５】
また、コネクタ部６８は、支持フレーム６８１の現像剤収納容器６１と向き合う側の部位に、現像剤収納容器６１の収容部６１７にある記憶媒体６３の接続端子７１Ａ，７１Ｂ，７１Ｃ，７１Ｄとそれぞれ接触して通電可能に接続される複数（本例では４つ）の被接続端子７５Ａ，７５Ｂ，７５Ｃ，７５Ｄが設けられている。
【００３６】
被接続端子７５Ａ，７５Ｂ，７５Ｃ，７５Ｄは、支持フレーム６８１の内部に配置された回路基板６８２を介してハーネスコネクタ６８８に集約されたうえで、そのハーネスコネクタ６８８を介してケーブルハーネス６８９と接続されるようになっている。ケーブルハーネス６８９は、画像形成装置１における制御手段１５に接続されている。
【００３７】
搬送管６９は、図１に示されるように、補給駆動装置６７と現像装置２４との間を接続するよう配置されている。搬送管６９は、補給駆動装置６７から送り出される現像剤を自然落下させて搬送する方式の搬送管か、あるいは現像剤を駆動する搬送手段により搬送する方式の搬送管で構成されている。
【００３８】
このような補給手段６では、図２に示されるように、現像剤収納容器６１が装着されて容器保持部６７２に保持されると、現像剤収納容器６１の駆動連結部材６１５が、補給駆動装置６７にある駆動連結部材６７５と結合した状態になる。またこのとき補給手段６では、現像剤収納容器６１の収容部６１７にある記憶媒体６３の接続端子７１Ａ，７１Ｂ，７１Ｃ，７１Ｄが、図６に示されるように補給駆動装置６７にあるコネクタ部６８の被接続端子７５Ａ，７５Ｂ，７５Ｃ，７５Ｄに接触して通電可能な状態、すなわち電気的に接続された状態になる。
これにより、現像剤収納容器６１における搬送手段は、補給駆動装置６７から回転動力が伝達されて駆動可能な状態になる。また、画像形成装置１の制御手段１５は、現像剤収納容器６１の記憶媒体６３とケーブルハーネス６８９を経由して通信可能になり、情報の読み取りおよび書き込みが可能な状態になる。
【００３９】
また、補給手段６は、制御手段１５で予測される現像装置２４での現像剤（実際にはトナー）の消費量等の情報に応じて必要な時期に補給駆動装置６７が駆動する。
これにより、補給手段６では、現像剤収納容器６１にある現像剤を所要の量だけ送り出し、その現像剤を搬送管６９を通して現像装置２４まで搬送して補給する。補給された現像剤は、現像装置２４の筐体２４０における収容室に入れられる。
【００４０】
＜端子の接続構造＞
また、この画像形成装置１においては、現像剤収納容器６１の記憶媒体６３における接続端子７１Ａ，７１Ｂ，７１Ｃ，７１Ｄと補給駆動装置６７にあるコネクタ部６８の被接続端子７５Ａ，７５Ｂ，７５Ｃ，７５Ｄとの間における端子の接続構造７として、以下に示す構成を適用している。
【００４１】
記憶媒体６３における接続端子７１Ａ，７１Ｂ，７１Ｃ，７１Ｄは、図４等に示されるように、細長い長方形状にした金属平板を、現像剤収納容器６１の着脱時における移動方向Ｅ１，Ｅ２に沿う方向になるよう並列に配置することで構成されている。また、接続端子７１Ａ，７１Ｂ，７１Ｃ，７１Ｄは、その表面に金等の金属メッキを施してもよい。
【００４２】
一方、コネクタ部６８の被接続端子７５Ａ，７５Ｂ，７５Ｃ，７５Ｄは、図５等に示されるように、支持フレーム６８１のうち現像剤収納容器６１の記憶媒体６３と向き合う側の部位に食い込み構造の端子として配置することで構成されている。食い込み構造は、被接続端子７５Ａ，７５Ｂ，７５Ｃ，７５Ｄが、接続端子７１Ａ，７１Ｂ，７１Ｃ，７１Ｄと接触したときに接続端子７１Ａ，７１Ｂ，７１Ｃ，７１Ｄの位置と整合する位置まで弾性変形して変位するよう取り付けられた構造である。
【００４３】
実施の形態１における被接続端子７５Ａ，７５Ｂ，７５Ｃ，７５Ｄは、図５、図７等に示されるように、現像剤収納容器６１の着脱時における移動方向Ｅ１，Ｅ２に沿う方向に延びる４つの切り込み部６８６が形成された箱型の端子取付け台６８５に取り付けられている。
このときの被接続端子７５Ａ，７５Ｂ，７５Ｃ，７５Ｄはいずれも、図７（Ａ）等に示されるように、一端部が端子取付け台６８５の底部に固定される一方で、他端部が切り込み部６８６を通過して外に突出するように傾斜して延びる板ばね状の支持部７５１と、支持部の他端部側に設けられて接続端子７１Ａ，７１Ｂ，７１Ｃ，７１Ｄと実際に接触する接触部７５２とで構成されている。
【００４４】
支持部７５１は、図７（Ａ）等に示されるように、その固定される一端部が現像剤収納容器６１の装着時における移動方向Ｅ１の上流側に位置するよう配置され、また接触部７５２が設けられる他端部がその移動方向Ｅ１の下流側に位置するよう配置されている。また、支持部７５１の一端部から他端部に至る部分は、現像剤収納容器６１の装着時における移動方向Ｅ１の下流側になるにつれて、接触すべき接続端子７１Ａ，７１Ｂ，７１Ｃ，７１Ｄにそれぞれ接近する状態になるよう傾斜した状態に保たれている。さらに、支持部７５１の他端部は、支持フレーム６８１における図示しない回路基板等に電気的に接続されている。
この支持部７５１は、現像剤収納容器６１の装着時に、記憶媒体６３における接続端子７１Ａ等が接触部７５２に接触すると、図７（Ｂ）に示されるように、接続端子７１Ａ等の位置に対応した位置に変位するよう矢印Ｊで示す方向（食い込む方向）に弾性変形する。
【００４５】
そして、この端子の接続構造７では、被接続端子７５Ａ，７５Ｂ，７５Ｃ，７５Ｄにおける接触部７５２について、図８、図９等に示されるように、接続端子７１Ａ，７１Ｂ，７１Ｃ，７１Ｄの１つずつに対してそれぞれ複数の箇所で個々に接触する複数の接触部７６を有した構造で構成されている。
【００４６】
実施の形態１における複数の接触部７６は、図８等に示されるように導電性のコイルバネ７６１で構成されている。
コイルバネ７６１は、弾性変形し得る金属等からなる線材を複数回、螺旋状に巻いたもので、少なくとも表面が導電性を有するものが使用される。コイルバネ７６１の巻数、巻径、線材の太さ等の条件は、接続し合う端子どうしの関係等に応じて任意に設定される。また、コイルバネ７６１としては、複数の接触部７６が隣り合う線材どうしが互いに離れた状態にある圧縮バネのような形態のものが使用される。しかし、コイルバネ７６１については、互いに独立した複数の接触を実現できるものであれば、例えば隣り合う線材どうしが互いに接触した状態にある引張バネのような形態のものを使用することも可能である。
【００４７】
また、複数の接触部７６としてのコイルバネ７６１は、図８（Ａ）に示されるように、その高さの方向Ｈが現像剤収納容器６１の着脱時における移動方向Ｅ１，Ｅ２とほぼ直角に交差する方向になるよう配置されている。これにより、コイルバネ７６１の線材は、現像剤収納容器６１の移動方向Ｅ１，Ｅ２にほぼ沿う方向に向いた状態になる。
【００４８】
＜端子の接続構造による接続状態＞
このような端子の接続構造７を適用した画像形成装置１では、現像剤収納容器６１を筐体１０の装着部に装着する際、現像剤収納容器６１の記憶媒体６３における接続端子７１Ａ，７１Ｂ，７１Ｃ，７１Ｄと補給駆動装置６７にあるコネクタ部６８の被接続端子７５Ａ，７５Ｂ，７５Ｃ，７５Ｄとが、以下のように接続される。
【００４９】
まず、現像剤収納容器６１は、その装着に際して、補給手段６の容器保持部６７２に保持されながら矢印Ｅ１で示す押し込み方向に移動させられる。
この際、現像剤収納容器６１における収容部６１７が、補給駆動装置６７におけるコネクタ部６８に接近して向き合い始める段階になると、図６等に示されるように、その収容部６１７は、その上下一対の被ガイド部６１８Ａ，６１８Ｂが、コネクタ部６８における上下一対のガイド部６８４Ａ，６８４Ｂに導入されて案内された状態で進むことになる。
【００５０】
この収容部６１７がコネクタ部６８と向き合って進む過程では、収容部６１７における記憶媒体６３にある４つの接続端子７１Ａ，７１Ｂ，７１Ｃ，７１Ｄが、コネクタ部６８における被接続端子７５Ａ，７５Ｂ，７５Ｃ，７５Ｄ（の接触部７５２）に接触した状態で進む。
またこのとき食い込み構造の被接続端子７５Ａ，７５Ｂ，７５Ｃ，７５Ｄは、図７（Ｂ）に例示されるように、その各支持部７５１の他端部７５１ｂ側が、接続端子７１Ａ，７１Ｂ，７１Ｃ，７１Ｄの位置と整合する位置まで端子取付け台６８５の切り込み部６８６から内部にむけて食い込むよう弾性変形して変位した状態になる。
【００５１】
続いて、現像剤収納容器６１が装着位置まで押し込まれると（図２）、そこで現像剤収納容器６１の装着が完了する。
【００５２】
現像剤収納容器６１の装着が完了すると、図６等に示されるように、その収容部６１７における記憶媒体６３にある４つの接続端子７１Ａ，７１Ｂ，７１Ｃ，７１Ｄが、コネクタ部６８における被接続端子７５Ａ，７５Ｂ，７５Ｃ，７５Ｄに個々に接触して接続された状態になる。
このときの接続状態を被接続端子７５Ａ，７５Ｂ，７５Ｃ，７５Ｄから見ると、被接続端子７５Ａ，７５Ｂ，７５Ｃ，７５Ｄは、図９等に示されるように、コイルバネ７６１で構成された複数の接触部７６が、接続端子７１Ａ，７１Ｂ，７１Ｃ，７１Ｄにそれぞれ接触して接続された状態になる。つまり、このときの被接続端子７５Ａ，７５Ｂ，７５Ｃ，７５Ｄは、図８（Ｃ）や図９に示されるように、接続端子７１Ａ，７１Ｂ，７１Ｃ，７１Ｄのそれぞれに対して複数の接触部７６により複数の箇所で接触した状態になる。
【００５３】
実施の形態１では、図７（Ｂ）や図８（Ｃ）に例示されるように、複数の接触部７６を構成するコイルバネ７６１の接続端子７１Ａ，７１Ｂ，７１Ｃ，７１Ｄと向き合う側にある線材の一部が、接続端子７１Ａ，７１Ｂ，７１Ｃ，７１Ｄとそれぞれ接触する。
このときの複数の接触部７６におけるコイルバネ７６１の接触している部分は、図８（Ｃ）に拡大して示されるように、例えば３つの丸み形状の部分Ｐ１，Ｐ２，Ｐ３からなる接点になる。また、このときの複数の接触部７６は、４つの接続端子７１Ａ，７１Ｂ，７１Ｃ，７１Ｄの個々に対して、現像剤収納容器６１の装着時における移動方向Ｅ１，Ｅ２とほぼ直交する方向に並んだ状態の３つの部分Ｐ１，Ｐ２，Ｐ３で接触することになる。
【００５４】
したがって、この端子の接続構造７を適用した記憶媒体６３にある４つの接続端子７１Ａ，７１Ｂ，７１Ｃ，７１Ｄとコネクタ部６８における被接続端子７５Ａ，７５Ｂ，７５Ｃ，７５Ｄとの接続は、それぞれ複数の接触部７６で接触して接続されるようになるので、接触異常になりにくく良好に行われる。また、このときの接続は、接続端子７１Ａ，７１Ｂ，７１Ｃ，７１Ｄと被接続端子７５Ａ，７５Ｂ，７５Ｃ，７５Ｄの少なくとも一方にトナー、埃塵等の微細な異物が存在したりあるいは摩耗した部分が存在する場合があっても、複数の接触部７６の少なくとも１つの接触部でも接触した状態になりやすくなり、接触異常の発生が抑制される。
【００５５】
この点、接続端子７１Ａ，７１Ｂ，７１Ｃ，７１Ｄと被接続端子７５Ａ，７５Ｂ，７５Ｃ，７５Ｄとが互いに接触する部分において１点で接触する場合には、その端子の少なくとも一方に上記した微細な異物や摩耗した部分が存在すると、接触異常が発生しやすくなる。
これに対して、実施の形態１に係る端子の接続構造７を適用した場合には、上記の通り接触異常になることが抑制される。
【００５６】
この結果、端子の接続構造７を適用した画像形成装置１においては、現像剤収納容器６１を装着した際、その現像剤収納容器６１と制御手段１５との間における情報の通信が良好に確保されて、通信不良が発生しにくくなる。
【００５７】
また、実施の形態１に係る端子の接続構造７にあっては、複数の接触部７６がコイルバネ７６１で構成されているので、複数の接触部７６を簡単に形成することができる。また、端子と接触する部分が円弧状になるので、接続端子７１Ａ，７１Ｂ，７１Ｃ，７１Ｄと接触する際の衝撃も柔和になって抑えられる。さらに、バネによる弾性変形が得られるので、コイルバネ７６１の線材が端子と接触するときに状況に応じて上下左右に微妙に変位して接触する状態を作りやすい。
【００５８】
また、この接続構造７にあっては、複数の接触部７６のコイルバネ７６１が高さ方向Ｈを現像剤収納容器６１の着脱時の移動方向Ｅ１，Ｅ２とほぼ直交する方向にむくよう配置しているので、その接触する部分が移動方向Ｅ１，Ｅ２とほぼ直交する方向に並んだ状態になる（図８（Ｃ））。このため、コイルバネ７６１を上記方向にむくよう配置しない場合に比べると、複数の接触部７６が接続端子７１Ａ，７１Ｂ，７１Ｃ，７１Ｄとの接触の際に引っ掛かることや無用な摩擦抵抗になることが抑制され、現像剤収納容器６１の着脱作業の支障になるおそれもない。
【００５９】
さらに、この接続構造７にあっては、複数の接触部７６が食い込み構造の被接続端子７５Ａ，７５Ｂ，７５Ｃ，７５Ｄに設けられているので、食い込み構造の端子に設けられていない場合に比べて、複数の接触部７６の接触時における衝撃が低減されて複数の接触点での接触が良好に保たれ、これによっても上記の接触異常になることが抑制されるようになる。
【００６０】
［実施の形態２］
図１０は、実施の形態２に係る端子の接続構造７Ｂを示すものである。
実施の形態２に係る端子の接続構造７Ｂは、複数の接触部７６について、コイルバネ７６１に代えて、複数本の線材を並べて配置することで構成した以外は実施の形態１に係る端子の接続構造７と同じ構成からなるものである。
【００６１】
この端子の接続構造７Ｂは、図１０や図１１に示されるように、複数の接触部７６が複数本（本例では３本）の線材７６３Ａ，７６３Ｂ，７６３Ｃを並べて配置することで構成されている。線材７６３Ａ，７６３Ｂ，７６３Ｃとしては、少なくとも表面が導電性を有するものが使用される。また、線材７６３Ａ，７６３Ｂ，７６３Ｃの断面形状、太さ、長さ等の条件は、接続し合う端子どうしの関係等に応じて任意に設定される。
【００６２】
また、複数の接触部７６を構成する線材７６３Ａ，７６３Ｂ，７６３Ｃは、図１１（Ａ）に示されるように、その長さ（長手）の方向がいずれも現像剤収納容器６１の着脱時における移動方向Ｅ１，Ｅ２にほぼ沿う方向に向いた状態になるよう配置されている。これにより、線材７６３Ａ，７６３Ｂ，７６３Ｃは、現像剤収納容器６１の移動方向Ｅ１，Ｅ２にほぼ沿う方向に向いた状態で、互いに間隔をあけて平行に並んだ状態になる。
さらに、この３本の線材７６３Ａ，７６３Ｂ，７６３Ｃは、図１１（Ｂ）に例示されるように、山形に曲げられた状態で配置される。
【００６３】
そして、この端子の接続構造７Ｂを適用した画像形成装置１では、実施の形態１において説明したように現像剤収納容器６１の装着が完了すると、図１０に示されるように、その現像剤収納容器６１の収容部６１７における記憶媒体６３にある４つの接続端子７１Ａ，７１Ｂ，７１Ｃ，７１Ｄが、補給駆動装置６７にあるコネクタ部６８における被接続端子７５Ａ，７５Ｂ，７５Ｃ，７５Ｄに個々に接触して接続された状態になる。
【００６４】
このときの接続の状態を被接続端子７５Ａ，７５Ｂ，７５Ｃ，７５Ｄから見ると、被接続端子７５Ａ，７５Ｂ，７５Ｃ，７５Ｄは、図１０等に示されるように、３本の線材７６３Ａ，７６３Ｂ，７６３Ｃを並べて構成された複数の接触部７６が、接続端子７１Ａ，７１Ｂ，７１Ｃ，７１Ｄにそれぞれ接触して接続された状態になる。
つまり、このときの被接続端子７５Ａ，７５Ｂ，７５Ｃ，７５Ｄは、図１０や図１１（Ｃ）に示されるように、複数の接触部７６を構成する３本の線材７６３Ａ，７６３Ｂ，７６３Ｃのうち接続端子７１Ａ，７１Ｂ，７１Ｃ，７１Ｄと向き合う側にある線材の一部が、接続端子７１Ａ，７１Ｂ，７１Ｃ，７１Ｄとそれぞれ接触する。
【００６５】
このときの線材７６３Ａ，７６３Ｂ，７６３Ｃの接触している部分は、図１１（Ｃ）に拡大して示されるように、例えば３つの丸みをおびた形状の部分Ｐ１，Ｐ２，Ｐ３からなる接点になる。また、このときの複数の接触部７６も、４つの接続端子７１Ａ，７１Ｂ，７１Ｃ，７１Ｄの個々に対して、現像剤収納容器６１の装着時における移動方向Ｅ１，Ｅ２とほぼ直交する方向に並んだ状態の３つの部分Ｐ１，Ｐ２，Ｐ３で接触することになる。
【００６６】
したがって、この端子の接続構造７Ｂを適用した記憶媒体６３にある４つの接続端子７１Ａ，７１Ｂ，７１Ｃ，７１Ｄとコネクタ部６８における被接続端子７５Ａ，７５Ｂ，７５Ｃ，７５Ｄとの接続は、実施の形態１に係る端子の接続構造７の場合とほぼ同様に、それぞれ複数の接触部７６で接触して接続されるようになるので、接触異常になりにくく良好に行われる。
ちなみに、複数の接触部７６については、画像形成装置１の筐体１０側の装着部（のコネクタ部６８）における被接続端子７５に設けているので、現像剤収納容器６１における接続端子７１に設ける場合に比べて、複数の接触部７６を設ける数量が少なくて済み、コストの無駄な上昇が生じない。
【００６７】
この結果、端子の接続構造７Ｂを適用した画像形成装置１においても、実施の形態１に係る画像形成装置１の場合とほぼ同様に、現像剤収納容器６１を装着した際、その現像剤収納容器６１と制御手段１５との間における情報の通信が良好に確保されて、通信不良が発生しにくくなる。
【００６８】
また、この接続構造７Ｂにあっては、複数の接触部７６を構成する３本の線材７６３Ａ，７６３Ｂ，７６３Ｃが現像剤収納容器６１の着脱時の移動方向Ｅ１，Ｅ２とほぼ沿う方向に向く状態になるよう配置されているので、その接触する部分が移動方向Ｅ１，Ｅ２とほぼ直交する方向に並んだ状態になる（図１１（Ｃ））。このため、３本の線材７６３Ａ，７６３Ｂ，７６３Ｃを上記方向にむくよう配置しない場合に比べると、複数の接触部７６が接続端子７１Ａ，７１Ｂ，７１Ｃ，７１Ｄとの接触の際に引っ掛かることや無用な摩擦抵抗になることが抑制され、現像剤収納容器６１の着脱作業の支障になるおそれもない。
【００６９】
さらに、この接続構造７Ｂにあっても、複数の接触部７６が食い込み構造の被接続端子７５Ａ，７５Ｂ，７５Ｃ，７５Ｄに設けられているので、食い込み構造の端子に設けられていない場合に比べて、複数の接触部７６の接触時における衝撃が低減されて複数の接触点での接触が良好に保たれ、これによっても上記の接触異常になることが抑制されるようになる。
【００７０】
＜実施の形態２の変形例＞
実施の形態２に係る端子の接続構造７Ｂにおいては、複数の接触部７６を、複数の線材７６３Ａ，７６３Ｂ，７６３Ｃを並べて配置することで構成することに代えて、被接続端子７５Ａ，７５Ｂ，７５Ｃ，７５Ｄにおける支持部７５１の他端部７５１ｂの頂部の前後に一方向に長く延びる突出した形状（突条）を並べて設けることで構成するようにしてもよい。
【００７１】
［実施の形態３］
図１２は、実施の形態３に係る端子の接続構造７Ｃを示すものである。
実施の形態３に係る端子の接続構造７Ｃは、複数の接触部７６について、コイルバネ７６１に代えて、蛇腹状の部材を配置することで構成した以外は実施の形態１に係る端子の接続構造７と同じ構成からなるものである。
【００７２】
この端子の接続構造７Ｃは、図１２や図１３に示されるように、複数の接触部７６が蛇腹状の部材７６５を配置することで構成されている。蛇腹状の部材７６５としては、複数（本例では３つ）の山折り部とその山折り部どうしの間や両端に谷折り部とを有するようにジグザグ状に折り曲げられた形状であり、少なくとも表面が導電性を有するものが使用される。また、蛇腹状の部材７６５の大きさ、折り曲げ回数等の条件は、接続し合う端子どうしの関係等に応じて任意に設定される。
【００７３】
また、複数の接触部７６を構成する蛇腹状の部材７６５は、図１３（Ａ）に示されるように、その３つの山折り部７６５Ａ，７６５Ｂ，７６５Ｃの長手方向がいずれも現像剤収納容器６１の着脱時における移動方向Ｅ１，Ｅ２にほぼ沿う方向に向いた状態になるよう配置されている。これにより、蛇腹状の部材７６５は、その３つの山折り部７６５Ａ，７６５Ｂ，７６５Ｃが、現像剤収納容器６１の移動方向Ｅ１，Ｅ２にほぼ沿う方向に向いた状態で、互いに間隔をあけて平行に並んだ状態になる。
さらに、この蛇腹状の部材７６５は、図１３（Ｂ）に例示されるように、被接続端子７５Ａ，７５Ｂ，７５Ｃ，７５Ｄの支持部７５１のうち斜めの状態にした状態にある他端部７５１ｂに配置される。
【００７４】
そして、この端子の接続構造７Ｃを適用した画像形成装置１では、実施の形態１において説明したように現像剤収納容器６１の装着が完了すると、図１２に示されるように、その現像剤収納容器６１の収容部６１７における記憶媒体６３にある４つの接続端子７１Ａ，７１Ｂ，７１Ｃ，７１Ｄが、補給駆動装置６７にあるコネクタ部６８における被接続端子７５Ａ，７５Ｂ，７５Ｃ，７５Ｄに個々に接触して接続された状態になる。
【００７５】
このときの接続の状態を被接続端子７５Ａ，７５Ｂ，７５Ｃ，７５Ｄから見ると、被接続端子７５Ａ，７５Ｂ，７５Ｃ，７５Ｄは、図１２等に示されるように、蛇腹状の部材７６５を配置して構成された複数の接触部７６が、接続端子７１Ａ，７１Ｂ，７１Ｃ，７１Ｄにそれぞれ接触して接続された状態になる。
つまり、このときの被接続端子７５Ａ，７５Ｂ，７５Ｃ，７５Ｄは、図１２や図１３（Ｃ）に示されるように、複数の接触部７６を構成する蛇腹状の部材７６５における３つの山折り部７６５Ａ，７６５Ｂ，７６５Ｃの長手方向の全部又は一部が、接続端子７１Ａ，７１Ｂ，７１Ｃ，７１Ｄとそれぞれ接触する。
【００７６】
また、このときの蛇腹状の部材７６５の接触している部分は、図１３（Ｃ）に拡大して示されるように、３つの山折り部７６５Ａ，７６５Ｂ，７６５Ｃに対応して３つの線状の形状からなる部分Ｐ１，Ｐ２，Ｐ３からなる接点（接触部）になる。また、このときの複数の接触部７６も、４つの接続端子７１Ａ，７１Ｂ，７１Ｃ，７１Ｄの個々に対して、現像剤収納容器６１の装着時における移動方向Ｅ１，Ｅ２とほぼ直交する方向に並んだ状態の３つの部分Ｐ１，Ｐ２，Ｐ３で接触することになる。
【００７７】
したがって、この端子の接続構造７Ｃを適用した記憶媒体６３にある４つの接続端子７１Ａ，７１Ｂ，７１Ｃ，７１Ｄとコネクタ部６８における被接続端子７５Ａ，７５Ｂ，７５Ｃ，７５Ｄとの接続は、実施の形態１に係る端子の接続構造７の場合とほぼ同様に、それぞれ複数の接触部７６で接触して接続されるようになるので、接触異常になりにくい。
また、この端子の接続構造７Ｃを適用した画像形成装置１においても、実施の形態１に係る画像形成装置１の場合とほぼ同様に、現像剤収納容器６１を装着した際、その現像剤収納容器６１と制御手段１５との間における情報の通信が良好に確保されて、通信不良が発生しにくくなる。
【００７８】
［変形例］
この発明は、実施の形態１〜３で例示した内容に何ら限定されるものではなく、各請求項に記載した各発明の要旨を逸脱しない範囲内で種々変更することが可能である。このため、この発明は以下に例示するような変形例も含むものである。
【００７９】
実施の形態１〜３における端子の接続構造７，７Ｂ，７Ｃにおいては、複数の接触部７６を、記憶媒体６３にある４つの接続端子７１Ａ，７１Ｂ，７１Ｃ，７１Ｄに設けるようにしてもよい。
【００８０】
また、複数の接触部７６については、例えば弾性変形し得る特性を持たせることが可能な場合には、食い込み構造でない端子側に設けることも可能である。さらに、複数の接触部７６については、複数ある接続端子および被接続端子の一方のすべてに設ける場合に限らず、例えば接続の精度が相対的に強く求められる一部に設けるようにしても構わない。
【００８１】
また、端子の接続構造７，７Ｂ，７Ｃは、実施の形態１〜３で例示した現像剤収納容器６１における記憶媒体６３の接続端子７１とその装着部側にあるコネクタ部における被接続端子７５との間に用いることに何ら限定されない。他の構成例としては、例えば、感光ドラム２１を少なくとも有する着脱ユニットや他の構成部品を有する着脱ユニットにおける記憶媒体、給電系統等の接続端子と、その各着脱ユニットの装着部側にあるコネクタ部における被接続端子との間に用いることも可能である。
【００８２】
さらに、端子の接続構造７，７Ｂ，７Ｃは、画像形成装置以外の装置に適用することも可能である。特に接続の精度が求められる、着脱可能に装着される第１の装置における接続端子と、その第１の装置が装着される第２の装置において前記接続端子が接続される被接続端子との間に適用することも可能である。
【００８３】
この他、この発明の端子の接続構造７等を適用する画像形成装置は、この発明の端子の接続構造７等を適用することが可能な画像形成装置であればよく、その形式、種類、画像形成方式等については特に限定されない。
【符号の説明】
【００８４】
１  …画像形成装置（第２の装置の一例）
７，７Ｂ，７Ｃ…端子の接続構造
１０…筐体（装置本体の一例）
６１…現像剤収納容器（第１の装置および着脱ユニットの一例）
７１…接続端子
７５…被接続端子
７６…複数の接触部
７６１…コイルバネ
７６３…線材
Ｅ１，Ｅ２…着脱時の移動方向
Ｈ  …高さ方向
【図１】
2020160170.tif 000003
【図２】
2020160170.tif 000004
【図３】
2020160170.tif 000005
【図４】
2020160170.tif 000006
【図５】
2020160170.tif 000007
【図６】
2020160170.tif 000008
【図７】
2020160170.tif 000009
【図８】
2020160170.tif 000010
【図９】
2020160170.tif 000011
【図１０】
2020160170.tif 000012
【図１１】
2020160170.tif 000013
【図１２】
2020160170.tif 000014
【図１３】
2020160170.tif 000015